(57)【特許請求の範囲】
【請求項１】
支持軸に回転自在に装着されるとともに先端に電源プラグを有する電源コードを巻回した巻取ドラムと、前記支持軸に固定された端子保持部材と、この端子保持部材に取り付けられ前記支持軸を中心にして同心円上に配置されるリング状の第１,第２端子板と、前記巻取ドラムに取り付けられ第１,第２端子板に摺接する第１,第２摺接部材とを備え、前記電源コードの他端は第１,第２摺接部材に電気的に接続され、前記第１,第２端子板は負荷に接続され、前記電源コードは任意の長さに引き出し可能となっているコードリール装置であって、
前記第１摺接部材は、巻取ドラムの回転とともに第１端子板上を摺接移動する一対の第１接点端子を有し、一方の第１接点端子と他方の第１接点端子とを前記支持軸を挟む位置に配置し、
前記第２摺接部材は、巻取ドラムの回転とともに第２端子板上を摺接移動する一対の第２接点端子を有し、一方の第２接点端子と他方の第２接点端子とを前記支持軸を挟む位置に配置し、
前記第１端子板は大径に形成され、第２端子板は小径に形成され、
前記第１摺接部材は、小径の第１リング基板と、この第１リング基板から外方へ突出するとともに先端に前記第１接点端子を有する一対の突出部とを有し、
前記第２摺接部材は、大径の第２リング基板と、この第２リング基板から内方へ突出するとともに先端に前記第２接点端子を有する一対の突出部とを有することを特徴とするコードリール装置。
【発明の詳細な説明】
【０００１】
【発明の属する技術分野】
この発明は、電源コードを巻回した巻取ドラム等を有し、そのコードを任意の長さに引き出し可能となっているコードリール装置に関する。
【０００２】
【従来の技術】
従来から、例えば電気掃除機本体に設けたコードリール装置として、図７に示すものが知られている。
【０００３】
かかるコードリール装置は、支持軸１と、この支持軸１に回転自在に装着されるとともに先端に電源プラグ(図示せず)を有する電源コード２を巻回した巻取ドラム３と、この巻取ドラム３を電源コード２を巻き取る方向へ付勢するゼンマイバネ４と、支持軸１の一端に固定された端子保持板５と、この端子保持板５に取り付けられ支持軸１を中心にして同心円上に配置されたリング状の第１,第２端子板６,７と、巻取ドラム３の支持壁Ｋに取り付けられた取付板８と、この取付板８にネジＮにより取り付けられた第１,第２摺接部材９,１０等とを備えている。電源コード２の他端は第１,第２摺接部材９,１０に電気的に接続され、第１,第２端子板６,７は電動送風機(図示せず)に接続され、電源コード２は任意の長さに引き出し可能となっている。
【０００４】
第１,第２摺接部材９,１０は、図８に示すように、ネジ孔９a,１０aを有する基板９Ａ,１０Ａと、この基板９Ａ,１０Ａの両側部から斜め上方に外方へ突出した一対の突出部９Ｂ,１０Ｂと、各突出部９Ｂ,１０Ｂの先端に設けた接点９b,１０bとを有している。各接点９b,１０bは一対有し、これら接点９b,１０bは図９に示すように巻取ドラム３の回転とともに第２端子板６,７上を摺接移動していくようになっている。
【０００５】
このコードリール装置によれば、巻取ドラム３の回転位置に拘わらず、第１,第２摺接部材９,１０の接点９b,１０bが第１,第２端子板６,７上を摺接移動していくので、電源コード２の引き出し長さに拘わらず、電動送風機に電力を供給することができる。
【０００６】
【発明が解決しようとする課題】
しかしながら、このようなコードリール装置にあっては、図１０に示すように、端子保持板５が支持軸１に対して傾きが生じると、第１摺接部材９の接点９b,９bは、一対あるが両接点９b,９b間の距離が短いことにより、第１端子板６から離れてしまう。第２摺接部材１０も図１０と逆方向に傾くと接点１０b,１０bが第２端子板７から離れてしまう。このように、接点９b,９bや接点１０b,１０bが第１,第２端子板６,７から離れてしまうと、電動送風機（負荷）に電力を供給することができなくなってしまうという問題があった
この発明は、上記事情に鑑みてなされたもので、その目的は、端子保持板が支持軸に対して傾いても常に負荷に電力を供給することのできるコードリール装置を提供することにある。
【０００７】
【課題を解決するための手段】
上記目的を達成するため、請求項１の発明は、支持軸に回転自在に装着されるとともに先端に電源プラグを有する電源コードを巻回した巻取ドラムと、前記支持軸に固定された端子保持部材と、この端子保持部材に取り付けられ前記支持軸を中心にして同心円上に配置されるリング状の第１,第２端子板と、前記巻取ドラムに取り付けられ第１,第２端子板に摺接する第１,第２摺接部材とを備え、前記電源コードの他端は第１,第２摺接部材に電気的に接続され、前記第１,第２端子板は負荷に接続され、前記電源コードは任意の長さに引き出し可能となっているコードリール装置であって、
前記第１摺接部材は、巻取ドラムの回転とともに第１端子板上を摺接移動する一対の第１接点端子を有し、一方の第１接点端子と他方の第１接点端子とを前記支持軸を挟む位置に配置し、
前記第２摺接部材は、巻取ドラムの回転とともに第２端子板上を摺接移動する一対の第２接点端子を有し、一方の第２接点端子と他方の第２接点端子とを前記支持軸を挟む位置に配置し、
前記第１端子板は大径に形成され、第２端子板は小径に形成され、
前記第１摺接部材は、小径の第１リング基板と、この第１リング基板から外方へ突出するとともに先端に前記第１接点端子を有する一対の突出部とを有し、
前記第２摺接部材は、大径の第２リング基板と、この第２リング基板から内方へ突出するとともに先端に前記第２接点端子を有する一対の突出部とを有することを特徴とする。
【０００９】
【実施の形態】
以下、この発明に係るコードリール装置の実施形態を図面に基づいて説明する。
【００１０】
図１に示す電気掃除機本体２０内には、前側に位置する集塵室２１と、この集塵室２１の後方に位置する電動送風機室２２と、この電動送風機室２２の側方に位置するコードリール室２３とが設けられている。集塵室２１と電動送風機室２２とコードリール室２３とは隔壁２４,２５によって区画されている。そして、電動送風機室２２には集塵室２１を負圧にする電動送風機（負荷）２６が配設され、コードリール室２３にコードリール装置３０が配設されている。
【００１１】
コードリール装置３０は、図２および図３に示すように、支持軸３１と、この支持軸３１に回転自在に装着されるとともに先端に電源プラグ３２（図１参照）を有する電源コード３３を巻回した巻取ドラム４０と、電源コード３３を巻き取る方向へ巻取ドラム４０を付勢するゼンマイバネ３４と、支持軸３１の一端に固定された端子保持板（端子保持部材）５０と、この端子保持板５０に取り付けられ支持軸３１を中心にして同心円上に配置されたリング状の第１,第２端子板５１,５２等とを有している。この第１,第２端子板５１,５２は電動送風機２６の端子(図示せず)に電気的に接続されている。
【００１２】
支持軸３１の他端は本体２０内に設けた軸受リブ２７に固定され、支持軸３１の一端は端子保持板５０に固定されており、この端子保持板５０は隔壁２５に取り付けられている。
【００１３】
巻取ドラム４０は、支持軸３１が相対的に回転自在に挿入された筒部４１を有している。この筒部４１の外周囲にはその筒部４１を中心にした円形の支持壁４２が一体形成され、この支持壁４２の周端には筒状のドラム部４３が一体形成され、ドラム部４３の両端にはフランジ４４,４５が一体形成されている。ドラム部４３には電源コード３３が巻回されており、この巻取ドラム４０に巻回された電源コード３３は任意の長さに引き出せるようになっている。
【００１４】
支持壁４２の左側面には、中心側にある一対のネジボス４６と外周側にある一対のネジボス４７が形成されている。ネジボス４６とネジボス４７は筒部４１を中心にして９０度ずれた位置に配置されている。ネジボス４６,４７にはネジＮ1,Ｎ2により円形の取付板６０が取り付けられている。この取付板６０には、ネジＮ1により金属製（銅製）の第１摺接部材６１（図４参照）と、ネジＮ2により金属製（銅製）の第２摺接部材７１とが取り付けられている。第１摺接部材６１および第２摺接部材７１は、電源コード３３の他端に電気的に接続されている。
【００１５】
第１摺接部材６１は、図４に示すように、小径のリンク状の第１リング基板６２を有している。この第１リング基板６２には、リング孔６２aの中心位置に対して対称となる位置、すなわち、支持軸３１を挟む位置に外方且つ斜め上方（図４において紙面の上方）へ突出した一対の突出部６３,６３が一体形成されている。この突出部６３,６３の先端部６４,６４は下方側（図２においてリング基板６２側）へ折曲形成され、その先端部６４,６４には第１接点端子６５,６５が設けられている。第１接点端子６５,６５は突出部６３,６３の弾性力により端子保持板５０の第１端子板５１に圧接しており、巻取ドラム４０の回転とともに第１接点端子６５が端子保持板５０の第１端子板５１上を摺接移動していくようになっている。
【００１６】
第２摺接部材７１は、大径のリンク状の第２リング基板７２を有している。このリング基板７２には、リング孔７２aの中心位置に対して対称となる位置、すなわち、支持軸３１を挟む位置に内方且つ斜め上方（図４において紙面の上方）へ突出した一対の突出部７３,７３が一体形成されている。この突出部７３,７３の先端部７４,７４は下方側（図３においてリング基板７２側）へ折曲形成され、その先端部７４,７４には第２接点端子７５,７５が設けられている。第２接点端子７５,７５は突出部７３,７３の弾性力により端子保持板５０の第２端子板５２に圧接しており、巻取ドラム４０の回転とともに第２接点端子７５が端子保持板５０の第２端子板５２上を摺接移動していくようになっている。
【００１７】
第１摺接部材６１および第２摺接部材７１は、第１リング基板６２と第２リング基板７２とが同心円上に且つ突出部６３と突出部７３とが９０度ずれた位置に配置されるように、取付板６０に取り付けられている。
【００１８】
また、突出部６３,７３の長さは、第１接点端子６５が第２接点端子７５の位置より外側となるように設定されている。
【００１９】
次に、上記のように構成されるコードリール装置３０の作用について説明する。
【００２０】
電源コード３３を引っ張るとゼンマイバネ３４の付勢力に抗して巻取ドラム４０が回転していき、電源コード３３が引き出されていく。そして、その引き出し止めると、図示しないブレーキ機構によりその電源コード３３は巻き取られずにその位置で停止する。そして、電源プラグ３２をコンセント(図示せず)に差し込む。
【００２１】
電源コード３３の引き出しの際に、巻取ドラム４０が回転していくが、この巻取ドラム４０の回転により、第１,第２摺接部材６１,７１の第１,第２接点端子６５,６５,７５,７５が端子保持板５０の第１,第２端子板５１,５２上を摺接移動していく。これら第１,第２接点端子６５,６５,７５,７５の摺接移動によって巻取ドラム４０の回転位置に拘わらず電動送風機２６に電力を供給することができる。
【００２２】
ところで、図５に示すように、端子保持板５０が支持軸３１に対して傾くと、すなわち、図６に示すＢ−Ｂ線を中心にして傾くと、一対の第１接点端子６５,６５が互いに支持軸３１を挟む位置にあることにより（第１接点端子６５,６５が支持軸３１を中心にして１８０度ずれた位置にあることにより）、一方の接点端子６５が第１端子板５１から離れるが、他方の第１接点端子６５が第１端子板５１に接触したままとなる。端子保持板５０がＡ−Ａ線を中心にして傾いた場合、両第１接点端子６５,６５はＡ−Ａ線上近辺にあることにより、第１端子板５１に接触した状態を保つことになる。第２接点端子７５,７５についても同様である。
【００２３】
したがって、端子保持板５０がどのように傾いても、少なくとも一方の第１,第２接点端子６５,７５は第１,第２端子板５１,５２との接触状態を保つことになり、その端子保持板５０の傾きに拘わらず、常に電動送風機２６に電力を供給することができ、導通不良を来すことはない。
【００２４】
また、第１摺接部材６１と第２摺接部材７１とでは大きさが異なるが、図６に示すように、第１摺接部材６１は、第１リング基板６２の外方に突出した一対の突出部６３,６３を形成し、第２摺接部材７１は、第２リング基板７２の内方に突出した一対の突出部７３,７３を形成し、第１摺接部材６１を第２摺接部材７１の第１リング基板７２内に収まる形状に設定したことにより、一枚の部材から同時に第１,２摺接部材６１,７１を取ることができ、第１,２摺接部材６１,７１の作成の効率アップとコストダウンを図ることができる。
【００２５】
上記実施形態では、コードリール装置３０を電気掃除機本体２０に設けたものについて説明したが、これに限らず、他の電気機器本体に設けてもよいことは勿論である。
【００２６】
【発明の効果】
以上説明したように、請求項１の発明によれば、支持軸に回転自在に装着されるとともに先端に電源プラグを有する電源コードを巻回した巻取ドラムと、前記支持軸に固定された端子保持部材と、この端子保持部材に取り付けられ前記支持軸を中心にして同心円上に配置されるリング状の第１,第２端子板と、前記巻取ドラムに取り付けられ第１,第２端子板に摺接する第１,第２摺接部材とを備え、前記電源コードの他端は第１,第２摺接部材に電気的に接続され、前記第１,第２端子板は負荷に接続され、前記電源コードは任意の長さに引き出し可能となっているコードリール装置であって、前記第１摺接部材は、巻取ドラムの回転とともに第１端子板上を摺接移動する一対の第１接点端子を有し、一方の第１接点端子と他方の第１接点端子とを前記支持軸を挟む位置に配置し、前記第２摺接部材は、巻取ドラムの回転とともに第２端子板上を摺接移動する一対の第２接点端子を有し、一方の第２接点端子と他方の第２接点端子とを前記支持軸を挟む位置に配置したものであるから、端子保持板が支持軸に対して傾いても常に負荷に電力を供給することができる。
また、第１端子板は大径に形成され、第２端子板は小径に形成され、第１摺接部材は、小径の第１リング基板と、この第１リング基板から外方へ突出するとともに先端に前記第１接点端子を有する一対の突出部とを有し、前記第２摺接部材は、大径の第２リング基板と、この第２リング基板から内方へ突出するとともに先端に前記第２接点端子を有する一対の突出部とを有するものであるから、一枚の部材から同時に第１,２摺接部材を取ることができ、第１,２摺接部材の作成の効率アップとコストダウンを図ることができる。
【図面の簡単な説明】
【図１】この発明に係るコードリール装置を装着した電気掃除機本体の構成を示した概略説明図である。
【図２】図１に示すコードリール装置の構成を示した垂直断面図である。
【図３】図１に示すコードリール装置の構成を示した水平断面図である。
【図４】コードリール装置の第１,第２摺接部材の第１,第２接点端子の位置関係を示した説明図である。
【図５】コードリール装置の端子保持板が支持軸に対して傾いた状態を示した説明図である。
【図６】１枚の部材から第１,第２摺接部材を同時に取ることができることを示した説明図である。
【図７】従来のコードリール装置の構成を示した説明図である。
【図８】（Ａ）従来の第１,第２摺接部材を示した平面図である。（Ｂ）従来の第１,第２摺接部材を示した側面図である。
【図９】従来の第１,第２摺接部材の位置関係を示した説明図である。
【図１０】コードリール装置の端子保持板が支持軸に対して傾いた状態を示した説明図である。
【符号の説明】
３１          支持軸
３３          電源コード
４４          巻取ドラム
５０          端子保持板
５１          第１端子板
５２          第２端子板
６１          第１摺接部材
６５          第１接点端子
７２          第２摺接部材
７５          第２接点端子
【図１】
0003990118.tif 000002
【図２】
0003990118.tif 000003
【図３】
0003990118.tif 000004
【図４】
0003990118.tif 000005
【図５】
0003990118.tif 000006
【図６】
0003990118.tif 000007
【図７】
0003990118.tif 000008
【図８】
0003990118.tif 000009
【図９】
0003990118.tif 000010
【図１０】
0003990118.tif 000011